(57)【要約】【課題】ビットレートの高いデジタル信号を同軸ケーブルで良好に伝送する。【解決手段】カメラ１０１側とＣＣＵ１０５側とをトライアックスケーブル１０３で接続する。カメラ１０１側からＣＣＵ１０５側に本線信号としての輝度信号および色差信号を送信する。変換ユニット１０２で、輝度信号、色差信号を複数の信号群に分割し、それぞれの信号群に対してＯＦＤＭ方式の変調を行い、各変調信号をケーブル１０３を通じてＣＣＵ１０５側に送る。ＣＣＵ１０５側では、変換ユニット１０４で、各変調信号の復調を行った後に合成して輝度信号、色差信号を得、これをＣＣＵ１０５に供給する。ＣＣＵ１０５側からカメラ１０１側に送るリターンビデオ信号に関しても同様の処理を行う。ケーブル１０３を通る各変調信号の周波数帯域は互いに異なるようにシフトされている。【選択図】図１
2007295269.tif 000002
【特許請求の範囲】
【請求項１】
同軸ケーブルに接続されて使用され、上記同軸ケーブルを介して他の装置にデジタル信号を送信するデジタル信号送信装置であって、
送信すべきデジタル信号を複数の信号群に分割する信号分割部と、
上記信号分割部から得られる上記複数の信号群をそれぞれ直交周波数分割多重方式で変調する複数の変調部と、
上記複数の変調部で生成された複数の変調信号の周波数帯域をそれぞれベースバンドから互いに異なる周波数帯域にシフトする複数の周波数シフト部と、
上記複数の周波数シフト部で周波数帯域がシフトされた複数の変調信号を合成して上記同軸ケーブルに送出する信号送出部と
を備えることを特徴とするデジタル信号送信装置。
【請求項２】
上記信号分割部は、上記デジタル信号にデータ圧縮処理を施してから、上記複数の信号群に分割する
ことを特徴とする請求項１に記載のデジタル信号送信装置。
【請求項３】
同軸ケーブルに接続されて使用され、上記同軸ケーブルを介して他の装置にデジタル信号を送信するデジタル信号送信方法であって、
送信すべきデジタル信号を複数の信号群に分割する信号分割ステップと、
上記信号分割ステップから得られる上記複数の信号群をそれぞれ直交周波数分割多重方式で変調する変調ステップと、
上記変調ステップで得られる複数の変調信号の周波数帯域をベースバンドから互いに異なる周波数帯域にシフトする周波数シフトステップと、
上記周波数シフトステップで周波数帯域がシフトされた複数の変調信号を合成して上記同軸ケーブルに送出する信号送出ステップと
を備えることを特徴とするデジタル信号送信方法。
【請求項４】
同軸ケーブルに接続され、上記同軸ケーブルを介して他の装置からデジタル信号を受信するデジタル信号受信装置であって、
デジタル信号を分割して得られた複数の信号群をそれぞれ直交周波数分割多重方式で変調した後それぞれの周波数帯域を互いに異なる周波数帯域にシフトして得られた複数の変調信号を、上記同軸ケーブルから取得する信号取得部と、
上記信号取得部で取得された複数の変調信号の周波数帯域をそれぞれベースバンドにシフトする複数の周波数シフト部と、
上記複数の周波数シフト部で周波数帯域がシフトされた複数の変調信号をそれぞれ復調して上記複数の信号群を得る複数の復調部と、
上記複数の復調部で得られた複数の信号群を合成して受信すべきデジタル信号を得る信号合成部と
を備えることを特徴するデジタル信号受信装置。
【請求項５】
上記信号合成部は、上記複数の信号群の合成信号にデータ伸張処理を施して上記受信すべきデジタル信号を得る
ことを特徴とする請求項４に記載のデジタル信号受信装置。
【請求項６】
同軸ケーブルに接続され、上記同軸ケーブルを介して他の装置からデジタル信号を受信するデジタル信号受信方法であって、
デジタル信号を分割して得られた複数の信号群をそれぞれ直交周波数分割多重方式で変調した後それぞれの周波数帯域を互いに異なる周波数帯域にシフトして得られた複数の変調信号を、上記同軸ケーブルから取得する信号取得ステップと、
上記信号取得ステップで取得された複数の変調信号の周波数帯域をそれぞれベースバンドにシフトする周波数シフトステップと、
上記周波数シフトステップで周波数帯域がシフトされた複数の変調信号をそれぞれ復調して上記複数の信号群を得る復調ステップと、
上記復調ステップで得られた複数の信号群を合成して受信すべきデジタル信号を得る信号合成ステップと
を備えることを特徴するデジタル信号受信方法。
【請求項７】
第１の機器と、第２の機器と、上記第１の機器および上記第２の機器を接続する同軸ケーブルとを備え、上記第１の機器と上記第２の機器との間で上記同軸ケーブルを介して相互にデジタル信号を伝送するデジタル信号伝送システムであって、
上記第１の機器は、
上記第２の機器に送信すべき第１のデジタル信号を複数の信号群に分割する第１の信号分割部と、
上記第１の信号分割部から得られる上記複数の信号群をそれぞれ直交周波数分割多重方式で変調する複数の第１の変調部と、
上記複数の第１の変調部で生成された複数の変調信号の周波数帯域をそれぞれベースバンドから互いに異なる複数の第１の周波数帯域にシフトする複数の第１の周波数シフト部と、
上記複数の第１の周波数シフト部で周波数帯域がシフトされた複数の変調信号を合成して上記同軸ケーブルに送出する第１の信号送出部とを有し、
上記第２の機器は、
上記第１の機器に送信すべき第２のデジタル信号を複数の信号群に分割する第２の信号分割部と、
上記第２の信号分割部から得られる上記複数の信号群をそれぞれ直交周波数分割多重方式で変調する複数の第２の変調部と、
上記複数の第２の変調部で生成された複数の変調信号の周波数帯域をそれぞれベースバンドから上記複数の第１の周波数帯域とは別の互いに異なる複数の第２の周波数帯域にシフトする複数の第２の周波数シフト部と、
上記複数の第２の周波数シフト部で周波数帯域がシフトされた複数の変調信号を合成して上記同軸ケーブルに送出する第２の信号送出部とを有する
ことを特徴とするデジタル信号伝送システム。
【請求項８】
上記第１の機器はカメラであり、上記第２機器はカメラコントロールユニットであり、
上記第１のデジタル信号は上記カメラから上記カメラコントロールユニットに送信すべき撮像ビデオ信号であり、
上記第２のデジタル信号は上記カメラコントロールユニットから上記カメラに送信すべきリターンビデオ信号である
ことを特徴とする請求項７に記載のデジタル信号伝送システム。
【発明の詳細な説明】
【技術分野】
【０００１】
この発明は、例えばカメラとカメラコントロールユニット（ＣＣＵ）との間のビデオ信号の伝送に適用して好適なデジタル信号の送信装置および送信方法、デジタル信号の受信装置および受信方法、並びにデジタル信号伝送システムに関する。
【背景技術】
【０００２】
従来、複数のカメラを運用する場合、例えばスタジオでのドラマ撮影や、野球中継などにおいては、複数のカメラはそれぞれ必要な場面を撮影するために、異なる場所に置かれる。そして、これらの複数のカメラは、通常一カ所で集中的にコントロールされている。
【０００３】
各カメラは、カメラをコントロールすると共に、カメラに電力を供給するためのカメラコントロールユニット（ＣＣＵ：Camera
Control Unit）にそれぞれ接続される。これは必要な電源を一カ所で確保すれば、各カメラに電力を供給することができるからである。また、それぞれのカメラに位相差のない同期をかけることによって、複数のＣＣＵからの信号を入力し、所定の信号を選択的に出力するスイッチャへの入力が容易になる等の理由から、集中コントロールの方が便利であるからである。
【０００４】
カメラとＣＣＵとの間で相互にビデオ信号の伝送が行われる。すなわち、カメラからＣＣＵに本線信号として撮像ビデオ信号が送られ、逆にＣＣＵからカメラにはカメラマンが録画またはオンエアされる最終の本線映像を確認するためのリターンビデオ信号が送られる。
【０００５】
従来、カメラとＣＣＵと間の双方向ビデオ信号伝送には大きく分けて以下のような３種類の方法のものがある。
【０００６】
（１）光ファイバを用いて伝送を行なうものがある。カメラとＣＣＵ間のビデオ伝送は双方向伝送であるため、デジタル伝送を行なう場合には光ファイバを上り下りに１本ずつ２本用いて行なうのが一般的である。すなわち、本線信号をカメラからＣＣＵに送るために光ファイバを１本使用し、リターンビデオ信号をＣＣＵからカメラに送るためにもう１本光ファイバを使用する。
【０００７】
図６は、光ファイバを使用した伝送システム２００Ａを示している。この伝送システム２００Ａは、カメラ２０１とＣＣＵ２０２とが光ファイバ２０３で接続されて構成されている。ＣＣＵ２０２には、リモートコントローラ２０４およびモニタ２０５〜２０７が接続されている。
【０００８】
（２）トライアックスケーブルと呼ばれる一種の同軸ケーブルを用いて伝送を行うものがある。トライアックスケーブルという二重シールド線を使用し、電源を含めた双方向の信号を変調し、周波数多重伝送する方法である。このようにトライアックスケーブルを用いた伝送システムは、例えば特許文献１に記載されている。
【０００９】
図７は、トライアックスケーブルを使用したアナログ伝送システム２００Ｂを示している。この伝送システム２００Ｂは、カメラ２０１とＣＣＵ２０２とがトライアックスケーブル２０８で接続されて構成されている。
【００１０】
この場合、カメラ２０１から出力される本線信号としてのデジタルビデオ信号、およびＣＣＵ２０２から出力されるリターンビデオ信号を、それぞれ、Ｄ/Ａ変換器を用いて一度アナログビデオ信号に変換した後ＦＭ変調あるいはＡＭ変調を行い、マルチプレックスフィルタを用いて周波数多重方式で双方向伝送を行い、受信した側では一度ＦＭ復調あるいはＡＭ復調を行った後得られたアナログビデオ信号をＡ／Ｄ変換してデジタルビデオ信号に変換し出力している。
【００１１】
図８は、カメラ２０１側およびＣＣＵ２０２側の回路構成例を示している。カメラ２０１側では、本線信号としてのデジタルビデオ信号、つまり１０ビットパラレルデータである輝度信号Ｙと１０ビットパラレルデータである色差信号Ｃｂ／Ｃｒとを、それぞれ、Ｄ／Ａ変換器２１０，２１１でデジタル信号からアナログ信号に変換し、その後、ＡＭ変調器２１３，２１４でＡＭ変調し、それぞれをマルチプレックスフィルタ２１４で合成して、トライアックスケーブル２０８に送出している。なお、色差信号Ｃｂ／Ｃｒは、青色差信号Ｃｂと赤色差信号Ｃｒとの順次信号を示している。
【００１２】
これに対応して、ＣＣＵ２０２側では、トライアックスケーブル２０８からマルチプレックスフィルタ２１５で輝度信号Ｙ、色差信号Ｃｂ／ＣｒのＡＭ変調信号を分離して取り出し、その後、これらＡＭ変調信号をＡＭ復調器２１６，２１７で復調し、それぞれをＡ／Ｄ変換器２１８，２１９でアナログ信号からデジタル信号に変換して、１０ビットパラレルデータである輝度信号Ｙおよび色差信号Ｃｂ／Ｃｒを得ている。
【００１３】
また、ＣＣＵ２０２側では、１０ビットパラレルデータであるリターンビデオ信号Ret.Video（輝度信号Ｙ）を、Ｄ／Ａ変換器２２０でデジタル信号からアナログ信号に変換し、その後、ＦＭ変調器２２１でＦＭ変調し、それをマルチプレックスフィルタ２１５を通してトライアックスケーブル２０８に送出している。
【００１４】
これに対応して、カメラ２０１側では、トライアックスケーブル２０８からマルチプレックスフィルタ２１４でリターンビデオ信号Ret. VideoのＦＭ変調信号を取り出し、その後、このＦＭ変調信号をＦＭ復調器２２２で復調し、それをＡ／Ｄ変換器２２３でアナログ信号からデジタル信号に変換して、リターンビデオ信号Ret. Video(Ｙ)を得ている。
【００１５】
図９は、トライアックスケーブルを用いたアナログ伝送システムの周波数配置例を示している。カメラ２０１側からＣＣＵ２０２側に送信されるＡＭ変調信号（色差信号Ｃｂ／Ｃｒ）の中心周波数は２１．６ＭＨｚ、同じくカメラ２０１側からＣＣＵ２０２側に送信されるＡＭ変調信号（輝度信号Ｙ）の中心周波数は６４．８ＭＨｚ、そして、ＣＣＵ２０２側からカメラ２０１側に送信されるＦＭ変調信号（輝度信号Ｙ）の中心周波数は１２６ＭＨとされ、それぞれの周波数帯域が異なるようにされている。
【００１６】
なお、図８の回路構成例には図示していないが、カメラ２０１とＣＣＵ２０２との間ではオーディオ信号や制御信号も周波数多重されて伝送されている。図９には、カメラ２０１側からＣＣＵ２０２側に送信されるオーディ信号ＳＡ１およびＣＣＵ２０２側からカメラ２０１側に送信されるオーディオ信号ＳＡ２も示している。
【００１７】
（３）トライアックスケーブルを用いたデジタルビデオの双方向伝送システムとして時間領域多重方式を用いて伝送するものがある。すなわち、時間を区切って交互に本線ビデオ信号を送る時間とリターンビデオ信号を送る時間とを決め、これを繰り返しながら双方向伝送を行なうものであるが、時間の管理が難しく、また伝送距離が長くなると送ったビデオ信号が届くまでの待ち時間が長くなりビデオ信号を送るための時間が短くなる。
【特許文献１】特開平１０−３４１３５７号公報
【発明の開示】
【発明が解決しようとする課題】
【００１８】
（１）の場合には、光ファイバが非常に広帯域の信号を伝送でき、また光パワーの伝送損失も小さいため、簡単に長距離伝送できる。このためＨＤ(High-Definition)カメラシステムのような場合にはこれが主流である。しかし、光ファイバが高価であることと、屋外や埃や塵が多い場所で使う場合には接続に大変気を使わなくてはならず、コネクタの端面のクリーニングが厄介である。また乱暴に取り扱うと切れてしまい、一度切れてしまうと修理が難しいなどの問題点がある。１本の光ファイバで波長多重を用いて双方向伝送する方法では波長多重のための合分波器が高価であることと波長の管理されたレーザダイオードが必要であり、これも高価であるという問題点がある。
【００１９】
（２）の場合にはカメラあるいはＣＣＵから出力されたデジタルビデオ信号を一度アナログ信号に戻し、さらに出力側では再度デジタルビデオ信号に戻すため、信号の劣化が避けられない。また、伝送ではアナログ信号でのＦＭ変復調あるいはＡＭ変復調を行なうため、ここでもＳ／Ｎの劣化が起こる。また、伝送距離が長くなると伝送路のＣ／Ｎが劣化するためビデオのＳ／Ｎが悪くなる。
【００２０】
（３）の場合には、時間の管理が難しく、また伝送距離が長くなると送ったビデオ信号が届くまでの待ち時間が長くなってビデオ信号を送るための時間が短くなるため、ＨＤビデオ信号のような広帯域の信号は伝送できないという問題点がある。
【００２１】
この発明の目的は、デジタル信号を同軸ケーブルで良好に伝送可能とすることにある。
【課題を解決するための手段】
【００２２】
この発明の概念は、
同軸ケーブルに接続されて使用され、上記同軸ケーブルを介して他の装置にデジタル信号を送信するデジタル信号送信装置であって、
送信すべきデジタル信号を複数の信号群に分割する信号分割部と、
上記信号分割部から得られる上記複数の信号群をそれぞれ直交周波数分割多重方式で変調する複数の変調部と、
上記複数の変調部で生成された複数の変調信号の周波数帯域をベースバンドから互いに異なる周波数帯域にシフトする複数の周波数シフト部と、
上記複数の周波数シフト部で周波数帯域がシフトされた複数の変調信号を合成して上記同軸ケーブルに送出する信号送出部と
を備えることを特徴とするデジタル信号送信装置にある。
【００２３】
この発明においては、送信すべきデジタル信号が複数の信号群に分割され、それらの信号群が直交周波数分割多重方式で変調される。送信すべきデジタル信号のビットレートが高くても、分割して得られたそれぞれの信号群のビットレートは低くなることから、それぞれの信号群に対するデジタル変調が可能となる。なおこの場合、送信すべきデジタル信号にデータ圧縮処理を施した後に複数の信号群に分割してもよく、その場合にはビットレートをさらに低くできる。
【００２４】
例えば、カメラからＣＣＵに同軸ケーブルを介して本線信号（撮像ビデオ信号）としてのデジタルビデオ信号（例えば輝度信号Ｙ、色差信号Ｃｂ／Ｃｒ）を送る場合には、この本線信号としてのデジタルビデオ信号が送信すべきデジタル信号となる。また例えば、ＣＣＵからカメラに同軸ケーブルを介してリターンビデオ信号としてのデジタルビデオ信号（例えば輝度信号Ｙ）を送る場合には、このリターンビデオ信号としてのデジタルビデオ信号が送信すべきデジタル信号となる。
【００２５】
複数の信号群に係る複数の変調信号は、その周波数帯域がそれぞれベースバンドから互いに異なる周波数帯域にシフトされた後に合成されて同軸ケーブルに送出される。複数の信号群に係る複数の変調信号の周波数帯域が互いに異なるようにシフトされるため、複数の信号群を互いに干渉させることなく良好に送信できる。なおこの場合、送信先から同様の複数の変調信号が送られてくる場合には、その複数の変調信号の周波数帯域と重ならないようにされる。これにより、１本の同軸ケーブルを介して双方向の伝送が可能となる。
【００２６】
上述したように同軸ケーブルに送出された複数の信号群に係る複数の変調信号は、当該同軸ケーブルを介して他の装置に供給される。他の装置では、まず、同軸ケーブルからこの複数の変調信号を分離して取得することが行われる。取得された複数の変調信号の周波数帯域がベースバンドに戻された後に復調されて複数の信号群が生成される。そして、これら複数の信号群が合成されて受信すべきデジタル信号が得られる。
【００２７】
デジタル信号を分割して得られた複数の信号群がそれぞれ直交周波数分割多重方式で変調された後に同軸ケーブルに送出されるものであり、デジタル信号のビットレートに対してシンボルレートを低くできるため、コネクタ部等で反射があってもその影響を受けにくく、デジタル信号を同軸ケーブルで良好に伝送できる。また、アナログ信号に変換してＡＭ変調あるいはＦＭ変調して同軸ケーブルで伝送するものではなく、Ｓ／Ｎの劣化を伴わず、アナログの伝送システムに比べて長距離化が可能となる。
【発明の効果】
【００２８】
この発明によれば、デジタル信号を複数の信号群に分割した後にそれぞれの信号群を直交周波数分割多重方式で変調して同軸ケーブルに送出するものであり、ビットレートの高いデジタル信号であっても直交周波数分割多重方式の変調を行うことが可能となり、またその変調によりデジタル信号のビットレートに対してシンボルレートが低くできるためコネクタ部等で反射があってもその影響を受けにくくなり、デジタル信号を同軸ケーブルで良好に伝送できる。
【発明を実施するための最良の形態】
【００２９】
以下、図面を参照しながら、この発明の実施の形態について説明する。図１は、実施の形態としてのトライアックスケーブルを用いた伝送システム１００の構成を示している。この伝送システム１００は、カメラ１０１と、変換ユニット１０２と、同軸ケーブルとしてのトライアックスケーブル１０３と、変換ユニット１０４と、ＣＣＵ１０５とを有している。
【００３０】
カメラ１０１は被写体を撮像する。このカメラ１０１からＣＣＵ１０５に、撮像ビデオ信号が、本線信号として送信される。ＣＣＵ１０５はカメラ１０１をコントロールすると共に、カメラ１０１に電力を供給する。このＣＣＵ１０５からカメラ１０１に、リターンビデオ信号が送信される。このＣＣＵ１０５には、リモートコントローラ１０６およびモニタ１０７〜１０９が接続されている。
【００３１】
変換ユニット１０２は、カメラ１０１とトライアックスケーブル１０３との間に設けられている。この変換ユニット１０２は、カメラ１０１から出力される本線信号を構成するデジタルビデオ信号である輝度信号Ｙおよび色差信号Ｃｂ／Ｃｒを複数の信号群に分割し、それぞれの信号群を直交周波数分割多重（ＯＦＤＭ：Orthogonal Frequency Division Multiplexing）方式で変調し、さらにそれぞれの変調信号の周波数帯域をベースバンドから互いに異なる周波数帯域にシフトして、トライアックスケーブル１０３に送出する。また、変換ユニット１０２は、ＣＣＵ１０５側からトライアックスケーブル１０３を介して送られてくる、リターンビデオ信号Ret. Video（輝度信号Ｙ）を分割して得られた複数の信号群に係る、ＯＦＤＭ方式で変調して得られた複数の変調信号の周波数帯域をベースバンドにシフトして復調し、得られた複数の信号群を合成してリターンビデオ信号Ret. Videoを得、このリターンビデオ信号Ret. Videoをカメラ１０１に供給する。
【００３２】
図２は、トライアックスケーブル１０３を介して伝送される、本線信号およびリターンビデオ信号に係る各変調信号の周波数配置例を示している。本実施の形態では、説明を簡単にするため、カメラ１０１側からＣＣＵ１０５側に送信される本線信号を構成する輝度信号Ｙおよび色差信号Ｃｂ／Ｃｒはそれぞれ３つの信号群に分割され、ＣＣＵ１０５側からカメラ１０１側に送信されるリターンビデオ信号Ret. Video（Ｙ）は３つの信号群に分割されるものとする。
【００３３】
輝度信号Ｙを分割して得られた３つの信号群に係る変調信号Ｍy1，Ｍy2，Ｍy3はそれぞれその中心周波数がＦ１，Ｆ２，Ｆ３となるように周波数シフトされ、色差信号Ｃｂ／Ｃｒを分割して得られた３つの信号群に係る変調信号Ｍc1，Ｍc2，Ｍc3はそれぞれその中心周波数がＦ４，Ｆ５，Ｆ６となるように周波数シフトされ、さらにリターンビデオ信号Ret. Videoを分割して得られた３つの信号群に係る変調信号Ｍr1，Ｍr2，Ｍr3はそれぞれその中心周波数がＦ７，Ｆ８，Ｆ９となるように周波数シフトされている。このように各変調信号が互いに重ならないように周波数シフトされていることで、これら各変調信号を、従って輝度信号Ｙ、色差信号Ｃｂ／Ｃｒおよびリターンビデオ信号Ret. Videoを互いに干渉させずにトライアックスケーブル１０３内を伝送させることが可能となる。
【００３４】
変換ユニット１０４は、ＣＣＵ１０５とトライアックスケーブル１０３との間に設けられている。この変換ユニット１０４は、ＣＣＵ１０２から出力されるデジタルビデオ信号であるリターンビデオ信号Ret. Video（Ｙ）を複数の信号群に分割し、それぞれの信号群をＯＦＤＭ方式で変調し、さらにそれぞれの変調信号の周波数帯域をベースバンドから互いに異なる周波数帯域にシフトして、トライアックスケーブル１０３に送出する。また、変換ユニット１０４は、カメラ１０１からトライアックスケーブル１０３を介して送られてくる、本線信号を構成するデジタルビデオ信号である輝度信号Ｙおよび色差信号Ｃｂ／Ｃｒを分割して得られた複数の信号群に係る、ＯＦＤＭ方式で変調して得られた複数の変調信号の周波数帯域をベースバンドにシフトして復調し、得られた複数の信号群を合成して輝度信号Ｙおよび色差信号Ｃｂ／Ｃｒを得、これらの信号をＣＣＵ１０５に供給する。
【００３５】
図１に示すトライアックスケーブルを用いた伝送システム１００の動作を説明する。
【００３６】
カメラ１０１から出力される本線信号を構成する輝度信号Ｙおよび色差信号Ｃｂ／Ｃｒはカメラ１０１側の変換ユニット１０２に供給される。この変換ユニット１０２では、輝度信号Ｙおよび色差信号Ｃｂ／Ｃｒがそれぞれ３つの信号群に分割され、それぞれの信号群がＯＦＤＭ方式で変調される。
【００３７】
そして、輝度信号Ｙに係る変調信号Ｍy1，Ｍy2，Ｍy3は、それぞれ、図２に示すように、その中心周波数がＦ１，Ｆ２，Ｆ３となるように周波数シフトされた後に、トライアックスケーブル１０３に送出される。また、色差信号Ｃｂ／Ｃｒに係る変調信号Ｍc1，Ｍc2，Ｍc3は、それぞれ、図２に示すように、その中心周波数がＦ４，Ｆ５，Ｆ６となるように周波数シフトされた後にトライアックスケーブル１０３に送出される。
【００３８】
このようにトライアックスケーブル１０３に送出された変調信号Ｍy1，Ｍy2，Ｍy3，Ｍc1，Ｍc2，Ｍc3は、当該トライアックスケーブル１０３を介して、ＣＣＵ１０５側の変換ユニット１０４に供給される。この変換ユニット１０４では、変調信号Ｍy1，Ｍy2，Ｍy3，Ｍc1，Ｍc2，Ｍc3の周波数帯域がそれぞれベースバンドにシフトされた後に当該変調信号Ｍy1，Ｍy2，Ｍy3，Ｍc1，Ｍc2，Ｍc3が復調されて、輝度信号Ｙおよび色差信号Ｃｂ／Ｃｒに係る６つの信号群が得られ、さらにそれらの信号群が合成されて輝度信号Ｙおよび色差信号Ｃｂ／Ｃｒが得られる。そして、変換ユニット１０４からこれら輝度信号Ｙおよび色差信号Ｃｂ／ＣｒがＣＣＵ１０５に供給される。
【００３９】
一方、ＣＣＵ１０５から出力されるリターンビデオ信号Ret. Video（Ｙ）はＣＣＵ１０５側の変換ユニット１０４に供給される。この変換ユニット１０４では、リターンビデオ信号Ret. Videoが３つの信号群に分割され、それぞれの信号群がＯＦＤＭ方式で変調される。そして、このリターンビデオ信号Ret. Videoに係る変調信号Ｍr1，Ｍr2，Ｍr3は、図２に示すように、その中心周波数がＦ７，Ｆ８，Ｆ９となるように周波数シフトされた後に、トライアックスケーブル１０３に送出される。
【００４０】
このようにトライアックスケーブル１０３に送出された変調信号Ｍr1，Ｍr2，Ｍr3は、当該トライアックスケーブル１０３を介して、カメラ１０１側の変換ユニット１０２に供給される。この変換ユニット１０２では、変調信号Ｍr1，Ｍr2，Ｍr3の周波数帯域がそれぞれベースバンドにシフトされた後に当該変調信号Ｍr1，Ｍr2，Ｍr3が復調されて、リターンビデオ信号Ret. Videoに係る３つの信号群が得られ、さらにそれらの信号群が合成されてリターンビデオ信号Ret. Videoが得られる。そして、このリターンビデオ信号Ret. Videoが変換ユニット１０２からカメラ１０１に供給される。
【００４１】
次に、カメラ１０１側の構成、つまりカメラ１０１および変換ユニット１０２の構成の詳細を説明する。図３は、その構成を示している。
【００４２】
カメラ１０１は、撮像レンズ等から構成される撮像光学系１１１と、赤、緑、青の撮像信号をそれぞれ得るためのＣＣＤ(Charge
Coupled Devices)固体撮像素子１１２Ｒ，１１２Ｇ，１１２Ｂと、アナログ信号処理部１１３と、デジタル信号処理部１１７と、シリアル信号からパラレル信号への変換およびその逆の変換を行うための変換器１１８と、ビューファインダ１１９とを有している。
【００４３】
アナログ信号処理部１１３は、ＣＣＤ固体撮像素子１１２Ｒ，１１２Ｇ，１１２Ｂから得られる赤、緑、青の撮像信号Ｒ，Ｇ，Ｂのそれぞれに対して、各画素の信号をサンプルホールドする処理、サンプルホールドされた各画素の信号を増幅する処理、増幅された各画素の信号をアナログ信号からデジタル信号に変換して、赤、青、青のデジタル色信号Ｒｄ，Ｇｄ，Ｂｄを得るＡ／Ｄ変換処理を行う。
【００４４】
そのため、このアナログ信号処理部１１３は、赤、緑、青の各色信号に対応した、サンプルホールド回路（Ｓ／Ｈ）１１４Ｒ，１１４Ｇ，１１４Ｂ、ビデオアンプ（ＶＡ）１１５Ｒ，１１５Ｇ，１１５Ｂ、およびＡ／Ｄ変換器１１６Ｒ，１１６Ｇ，１１６Ｂからなっている。
【００４５】
デジタル信号処理部１１７は、アナログ信号処理部１１３で得られる赤、青、青のデジタル色信号Ｒｄ，Ｇｄ，Ｂｄに対して、それぞれ、色補正、高域補正、ガンマ補正、高輝度圧縮などの処理、さらには画像を美しく鮮明に見せるための信号処理を施す。また、このデジタル信号処理部１１７は、処理後のデジタル色信号Ｒｄ，Ｇｄ，Ｂｄに基づいてマトリックス処理を行って、本線信号としてのデジタルビデオ信号である輝度信号Ｙおよび色差信号Ｃｂ／Ｃｒを生成する。ここで、輝度信号Ｙおよび色差信号Ｃｂ／Ｃｒは、それぞれ、例えば１０ビットのパラレルデータである。
【００４６】
変換器１１８は、デジタル信号処理部１１７で得られる本線信号としての輝度信号Ｙおよび色差信号Ｃｂ／Ｃｒを、デジタルシリアル伝送規格であるＨＤ−ＳＤＩ(SerialDigital Interface)でパラレルデータからシリアルデータに変換し、変換後のシリアルデータを変換ユニット１０２に供給する。また、この変換器１１８は、変換ユニット１０２から供給されるリターンビデオ信号Ret. Videoに係るＨＤ−ＳＤＩのシリアルデータを、パラレルデータに変換し、ビューファインダ１１５に供給する。
【００４７】
ビューファインダ１１９は、例えば撮像ビデオ信号、つまり本線信号による画像、あるいはリターンビデオ信号Ret.
Videoに画像を選択的に表示する。この選択操作は、例えばカメラマンが図示しないボタンによって操作可能とされている。
【００４８】
変換ユニット１０２は、シリアルデータをパラレルデータに変換する変換器１２１と、信号分割部１２２と、変調処理部１２３ａ〜１２３ｆと、周波数シフト部１２４ａ〜１２４ｆと、マルチプレックスフィルタ（ＭＰＸフィルタ）１２５と、周波数シフト部１２６ａ〜１２６ｃと、復調処理部１２７ａ〜１２７ｃと、信号合成部１２８と、パラレルデータをシリアルデータに変換する変換器１２９とを有している。
【００４９】
変換器１２１は、カメラ１０１から供給される本線信号（輝度信号Ｙ、色差信号Ｃｂ／Ｃｒ）に係るＨＤ−ＳＤＩのシリアルデータを、輝度信号Ｙおよび色差信号Ｃｂ／Ｃｒのパラレルデータに変換する。
【００５０】
信号分割部１２２は、変換器１２１で得られる輝度信号Ｙおよび色差信号Ｃｂ／Ｃｒをそれぞれ３つの信号群に分割する。この場合、各信号群のビットレートは、輝度信号Ｙあるいは色差信号Ｃｂ／Ｃｒのビットレートに対して１／３である。変調処理部１２３ａ〜１２３ｆは、それぞれ、信号分割部１２２で得られる６つの信号群に対してＯＦＤＭ方式の変調処理を行って、輝度信号Ｙおよび色差信号Ｃｂ／Ｃｒに係る変調信号Ｍy1，Ｍy2，Ｍy3，Ｍc1，Ｍc2，Ｍc3を生成する。
【００５１】
変調処理部１２３ａ〜１２３ｆの構成を説明する。ここでは、変調処理部１２３ａを例にとって説明する。詳細説明は省略するが、変調処理部１２３ｂ〜１２３ｆは、変調処理部１２３ａと同様に構成されている。図４は、変調処理部１２３ａの具体的構成を示している。
【００５２】
８ビットのパラレルデータである信号群は、エネルギー拡散部１３１でエネルギーが拡散され、さらにアウターコーダ１３２でエラー訂正が可能な信号処理が施されたのち、アウターインターリーバ１３３で伝送中の誤りに対する耐性を向上させるために信号のインターリーブが行われる。アウターコーダ１３２では、通常はリードソロモンのようなエラー訂正符号が付加される。
【００５３】
アウターインターリーバ１３３の出力信号に対して、さらに、インナーコーダ１３４でエラー訂正のために畳み込み符号化が行われ、インナーインターリーバ１３５で信号のインターリーブが行われ、その後１次変調部１３６で、ＱＡＭ(Quadrature Amplitude Modulation)、あるいはＰＳＫ(PhaseShift Keying)といった１次変調が行われる。
【００５４】
その後、信号付加部１３７において受信側で復調するために必要なパイロット信号や伝送パラメータ信号（ＴＰＳ：Transmission
Parameter Signaling）が付加される。さらに、ＯＦＤＭ部１３８で、直交周波数分割多重変調が行われ、その後ガードインターバルインサーション１３９でガードインターバルと呼ばれる伝送路の反射に対する信号が付加されて、上述の入力された信号群に係る変調信号Ｍy1が得られる。
【００５５】
図３に戻って、周波数シフト部１２４ａ〜１２４ｆは、それぞれ、変調処理部１２３ａ〜１２３ｆで得られる輝度信号Ｙおよび色差信号Ｃｂ／Ｃｒに係る６つの変調信号Ｍy1〜Ｍc3の周波数帯域を、ベースバンドから、その中心周波数がＦ１〜Ｆ６となるように周波数シフトする（図２参照）。これら周波数シフト部１２４ａ〜１２４ｆは、それぞれ、かけ算器で構成され、変調信号Ｍy1〜Ｍc3に周波数Ｆ１〜Ｆ６の周波数信号（搬送波信号）をかけることでシフト処理を行う。
【００５６】
マルチプレックスフィルタ１２５は、周波数シフト部１２４ａ〜１２４ｆでシフト処理された後の変調信号Ｍy1〜Ｍc3を合成してトライアックスケーブル１０３に送出し、またトライアックスケーブル１０３から、その中心周波数がＦ７〜Ｆ９となっている（図２参照）、ＣＣＵ１０５側から送られてくるリターンビデオ信号Ret. Video（Ｙ）に係る３つの変調信号Ｍr1，Ｍr2，Ｍr3を分離して取り出す。
【００５７】
周波数シフト部１２６ａ〜１２６ｃは、マルチプレックスフィルタ１２５で取り出された変調信号Ｍr1〜Ｍr3の周波数帯域をベースバンドにシフトする。これら周波数シフト部１２６ａ〜１２６ｃは、それぞれ、かけ算器で構成され、変調信号Ｍr1〜Ｍr3に周波数Ｆ７〜Ｆ９の周波数信号をかけることでシフト処理を行う。
【００５８】
復調処理部１２７ａ〜１２７ｃは、それぞれ、周波数シフト部１２６ａ〜１２６ｃでシフト処理された後の変調信号Ｍr1〜Ｍr3に対してＯＦＤＭ方式の復調処理を行って、それぞれ８ビットパラレルデータである、リターンビデオ信号Ret. Videoに係る３つの信号群を生成する。これら復調処理部１２７ａ〜１２７ｃは、詳細説明は省略するが、上述した変調処理部１２３ａ〜１２３ｆとは逆の処理を行うように構成されている。
【００５９】
信号合成部１２８は、復調処理部１２７ａ〜１２７ｃで生成された３つの信号群を合成して、１０ビットパラレルデータであるリターンビデオ信号Ret. Videoを生成する。変換器１２９は、信号合成部１２８で生成されたリターンビデオ信号Ret. Videoをパラレルデータから、ＨＤ−ＳＤＩのシリアルデータに変換し、変換後のシリアルデータをカメラ１０１に供給する。
【００６０】
図３に示すカメラ１０１側の動作を説明する。
【００６１】
撮像光学系１１１により撮像素子１１２Ｒ，１１２Ｇ，１１２Ｂの撮像面には、それぞれ、赤、緑、青の光学像が形成される。そして、撮像素子１１２Ｒ，１１２Ｇ，１１２Ｂで光電変換が行われ、これら撮像素子１１２Ｒ，１１２Ｇ，１１２Ｂから、それぞれ、赤、緑、青の撮像信号Ｒ，Ｇ，Ｂが得られる。これら撮像信号Ｒ，Ｇ，Ｂはアナログ信号処理部１１３に供給され、サンプルホールド処理、増幅処理、Ａ／Ｄ変換処理等が施されて、赤、青、青のデジタル色信号Ｒｄ，Ｇｄ，Ｂｄが得られる。
【００６２】
これらの色信号Ｒｄ，Ｇｄ，Ｂｄはデジタル信号処理部１１７に供給され、色補正、高域補正、ガンマ補正、高輝度圧縮などの処理、さらには画像を美しく鮮明に見せるための信号処理が施される。また、このデジタル信号処理部１１７では、処理後のデジタル色信号Ｒｄ，Ｇｄ，Ｂｄに基づいてマトリックス処理が行われ、ＣＣＵ１０５に供給すべき本線信号としてのデジタルビデオ信号（輝度信号Ｙおよび色差信号Ｃｂ／Ｃｒ）が生成される。
【００６３】
これら輝度信号Ｙおよび色差信号Ｃｂ／Ｃｒは変換器１１８に供給され、パラレルデータからＨＤ−ＳＤＩのシリアルデータに変換される。そして、この変換後のシリアルデータはカメラ１０１の出力として変換ユニット１０２の変換器１２１に供給される。この変換器１２１では、カメラ１０１から供給される本線信号（輝度信号Ｙ、色差信号Ｃｂ／Ｃｒ）に係るＨＤ−ＳＤＩのシリアルデータが、輝度信号Ｙおよび色差信号Ｃｂ／Ｃｒのパラレルデータに変換される。
【００６４】
変換器１２１から出力される１０ビットパラレルデータである輝度信号Ｙおよび色差信号Ｃｂ／Ｃｒは信号分割部１２２に供給される。この信号分割部１２２では、輝度信号Ｙがそれぞれ例えば８ビットパラレルデータでる３つの信号群に分割され、また色差信号Ｃｂ／Ｃｒがそれぞれ８ビットパラレルデータである３つの信号群に分割される。
【００６５】
この信号分割部１２２で分割されて得られた６つの信号群は、それぞれ、変調処理部１２３ａ〜１２３ｆに供給される。これら変調処理部１２３ａ〜１２３ｆでは、それぞれ、８ビットパラレルデータである信号群がＯＦＤＭ方式で変調されて、輝度信号Ｙに係る変調信号Ｍy1〜Ｍy3および色差信号Ｃｂ／Ｃｒに係る変調信号Ｍc1〜Ｍc3が生成される。
【００６６】
これら変調処理部１２３ａ〜１２３ｆで生成された変調信号Ｍy1〜Ｍc3は、それぞれ、周波数シフト部１２４ａ〜１２４ｆに供給される。これら周波数シフト部１２４ａ〜１２４ｆでは、それぞれ、変調信号Ｍy1〜Ｍc3の周波数帯域が、ベースバンドから、その中心周波数がＦ１〜Ｆ６となるように周波数シフトされる。
【００６７】
周波数シフト部１２４ａ〜１２４ｆでシフト処理された変調信号Ｍy1〜Ｍc3はマルチプレックスフィルタ１２５で合成されてトライアックスケーブル１０３に送出される。これにより、本線信号（輝度信号Ｙ、色差信号Ｃｂ／Ｃｒ）に係る変調信号Ｍy1〜Ｍc3は、トライアックスケーブル１０３を介して、ＣＣＵ１０５側に送られる。
【００６８】
また、マルチプレックスフィルタ１２５により、トライアックスケーブル１０３から、その中心周波数がＦ７〜Ｆ９となっている、ＣＣＵ１０５側から送られてくるリターンビデオ信号Ret. Video（Ｙ）に係る変調信号Ｍr1〜Ｍr3が分離して取り出される。
【００６９】
これら変調信号Ｍr1〜Ｍr3は周波数シフト部１２６ａ〜１２６ｃに供給され、それぞれの周波数帯域がベースバンドにシフトされる。このシフト処理された後の変調信号Ｍr1〜Ｍr3は、それぞれ、復調処理部１２７ａ〜１２７ｃに供給される。これら復調処理部１２７ａ〜１２７ｃでは、それぞれ、変調信号Ｍr1〜Ｍr3がＯＦＤＭ方式で復調されて、それぞれ例えば８ビットパラレルデータであるリターンビデオ信号Ret. Videoに係る３つの信号群が生成される。
【００７０】
この３つの信号群は信号合成部１２８で合成され、１０ビットパラレルデータであるリターンビデオ信号Ret.
Videoが得られる。このリターンビデオ信号Ret. Videoは変換器１２９に供給され、パラレルデータからＨＤ−ＳＤＩのシリアルデータに変換される。そして、この変換後のシリアルデータは変換ユニット１０２の出力としてカメラ１０１の変換器１１８に供給される。
【００７１】
この変換器１１８では、変換ユニット１０２から供給されるリターンビデオ信号Ret. Videoに係るＨＤ−ＳＤＩのシリアルデータが、パラレルデータに変換され、ビューファインダ１１９に供給される。このビューファインダ１１９には、例えばデジタル信号処理部１１７から撮像ビデオ信号も供給される。このビューファインダ１１９には、カメラマンのボタン操作によって、本線信号による画像、あるいはリターンビデオ信号Ret. Videoによる画像が選択的に表示される。
【００７２】
次に、ＣＣＵ１０５側の変換ユニット１０４の構成の詳細を説明する。図５は変換ユニット１０４の構成を示している。
【００７３】
この変換ユニット１０４は、マルチプレックスフィルタ１４１と、周波数シフト部１４２ａ〜１４２ｆと、復調処理部１４３ａ〜１４３ｆと、信号合成部１４４と、パラレルデータをシリアルデータに変換する変換器１４５と、シリアルデータをパラレルデータに変換する変換器１４６と、信号分割部１４７と、変調処理部１４８ａ〜１４８ｃと、周波数シフト部１４９ａ〜１４９ｃとを有している。
【００７４】
マルチプレックスフィルタ１４１は、トライアックスケーブル１０３から、カメラ１０１側より送られて本線信号としての輝度信号Ｙおよび色差信号Ｃｂ／Ｃｒに係る変調信号Ｍy1〜Ｍc3を分離して取り出す。ここで、変調信号Ｍy1〜Ｍc3は、それぞれ、その中心周波数がＦ１〜Ｆ６となるようにシフト処理されている（図２参照）。
【００７５】
また、このマルチプレックスフィルタ１４１は、周波数シフト部１４９ａ〜１４９ｃでシフト処理された後のリターンビデオ信号Ret. Video（Ｙ）に係る変調信号Ｍr1〜Ｍr3を合成してトライアックスケーブル１０３に送出する。周波数シフト部１４２ａ〜１４２ｆは、それぞれ、マルチプレックスフィルタ１４１で取り出された変調信号Ｍy1〜Ｍc3の周波数帯域をベースバンドにシフトする。これら周波数シフト部１４２ａ〜１４２ｆは、それぞれ、かけ算器で構成され、変調信号Ｍy1〜Ｍc3に周波数Ｆ１〜Ｆ６の周波数信号をかけることでシフト処理を行う。
【００７６】
復調処理部１４３ａ〜１４３ｆは、それぞれ、周波数シフト部１４２ａ〜１４２ｆでシフト処理された後の変調信号Ｍy1〜Ｍc3に対してＯＦＤＭ方式の復調処理を行って、それぞれ８ビットパラレルデータである、輝度信号Ｙおよび色差信号Ｃｂ／Ｃｒに係る信号群を生成する。これら復調処理部１４３ａ〜１４３ｆは、詳細説明は省略するが、上述した変調処理部１２３ａ〜１２３ｆとは逆の処理を行うように構成されている。
【００７７】
信号合成部１４４は、復調処理部１４３ａ〜１４３ｆで生成された６つの信号群を合成して、１０ビットパラレルデータである輝度信号Ｙおよび色差信号Ｃｂ／Ｃｒを生成する。変換器１４５は、信号合成部１４４で生成されたリ輝度信号Ｙおよび色差信号Ｃｂ／Ｃｒをパラレルデータから、ＨＤ−ＳＤＩのシリアルデータに変換し、変換後のシリアルデータをＣＣＵ１０５に供給する。
【００７８】
変換器１４６は、ＣＣＵ１０５から供給されるリターンビデオ信号Ret. Video（Ｙ）に係るＨＤ−ＳＤＩのシリアルデータをパラレルデータに変換する。信号分割部１４７は、変換器１４６で得られるリターンビデオ信号Ret. Videoを３つの信号群に分割する。この場合、各信号群のビットレートは、リターンビデオ信号Ret. Videoのビットレートに対して１／３である。
【００７９】
変調処理部１４８ａ〜１４８ｃは、それぞれ、信号分割部１４７で得られる３つの信号群に対してＯＦＤＭ方式の変調処理を行って、リターンビデオ信号Ret. Videoに係る３つの変調信号Ｍr1〜Ｍr3を生成する。これら変調処理部１４８ａ〜１４８ｃは、詳細説明は省略するが、上述した変調処理部１２３ａ〜１２３ｆと同様に構成されている。
【００８０】
周波数シフト部１４９ａ〜１４９ｃは、それぞれ、変調処理部１４８ａ〜１４８ｃで得られるリターンビデオ信号Ret.
Videoに係る３つの変調信号Ｍr1〜Ｍr3の周波数帯域を、ベースバンドから、その中心周波数がＦ７〜Ｆ９となるように周波数シフトする（図２参照）。これら周波数シフト部１４９ａ〜１４９ｃは、それぞれ、かけ算器で構成され、変調信号Ｍr1〜Ｍr3に周波数Ｆ７〜Ｆ９の周波数信号（搬送波信号）をかけることでシフト処理を行う。
【００８１】
図５に示すＣＣＵ１０５側の変換ユニット１０４の動作を説明する。
【００８２】
マルチプレックスフィルタ１４１により、トライアックスケーブル１０３から、その中心周波数がＦ１〜Ｆ６となっている、カメラ１０１側から送られてくる本線信号（輝度信号Ｙ、色差信号Ｃｂ／Ｃｒ）に係る６つの変調信号Ｍy1〜Ｍc3が取り出される。
【００８３】
これら変調信号Ｍy1〜Ｍc3はそれぞれ周波数シフト部１４２ａ〜１４２ｆに供給され、その周波数帯域がベースバンドにシフトされる。このシフト処理された後の変調信号Ｍy1〜Ｍc3は、それぞれ、復調処理部１４３ａ〜１４３ｆに供給される。これら復調処理部１４３ａ〜１４３ｆでは、それぞれ、変調信号Ｍy1〜Ｍc3がＯＦＤＭ方式で復調されて、輝度信号Ｙおよび色差信号Ｃｂ／Ｃｒに係る、それぞれ８ビットパラレルデータである６つの信号群が生成される。
【００８４】
これら６つの信号群は信号合成部１４４で合成され、それぞれ１０ビットパラレルデータである輝度信号Ｙおよび色差信号Ｃｂ／Ｃｒが得られる。これら輝度信号Ｙおよび色差信号Ｃｂ／Ｃｒは変換器１４５に供給され、パラレルデータからＨＤ−ＳＤＩのシリアルデータに変換される。そして、この変換後のシリアルデータは変換ユニット１０４の出力としてＣＣＵ１０５に供給される。
【００８５】
また、ＣＣＵ１０５から供給されるリターンビデオ信号Ret. Video（Ｙ）に係るＨＤ−ＳＤＩのシリアルデータは変換器１４６に供給される。この変換器１４６では、このシリアルデータがリターンビデオ信号Ret. Videoのパラレルデータに変換される。
【００８６】
このリターンビデオ信号Ret.Videoは信号分割部１４７に供給される。この信号分割部１４７では、リターンビデオ信号Ret. Videoがそれぞれ８ビットパラレルデータである３つの信号群に分割される。この３つの信号群は、それぞれ、変調処理部１４８ａ〜１４８ｃに供給される。これら変調処理部１４８ａ〜１４８ｃでは、それぞれ、８ビットパラレルデータである信号群がＯＦＤＭ方式で変調されて、リターンビデオ信号Ret. Videoに係る変調信号Ｍr1〜Ｍr3が生成される。
【００８７】
これら変調処理部１４８ａ〜１４８ｃで生成された変調信号Ｍr1〜Ｍr3は、それぞれ、周波数シフト部１４９ａ〜１４９ｃに供給される。これら周波数シフト部１４９ａ〜１４９ｃでは、それぞれ、変調信号Ｍr1〜Ｍr3の周波数帯域が、ベースバンドから、その中心周波数がＦ７〜Ｆ９となるように周波数シフトされる。
【００８８】
周波数シフト部１４９ａ〜１４９ｃでシフト処理された変調信号Ｍr1〜Ｍr3はマルチプレックスフィルタ１４１で合成されてトライアックスケーブル１０３に送出される。これにより、リターンビデオ信号Ret. Video（Ｙ）に係る変調信号Ｍr1〜Ｍr3は、トライアックスケーブル１０３を介して、カメラ１０１側に送られる。
【００８９】
上述したように、図１に示す伝送システム１００によれば、カメラ１０１側からＣＣＵ１０５側に送信すべき本線信号（輝度信号Ｙおよび色差信号Ｃｂ／Ｃｒ）は変換ユニット１０２によって複数の信号群に分割された後にＯＦＤＭ方式で変調されてトライアックスケーブル１０３に送出され、一方、ＣＣＵ１０５側からカメラ１０１側に送信すべきリターンビデオ信号Ret. Video（Ｙ）は変換ユニット１０４によって複数の信号群に分割された後にＯＦＤＭ方式で変調されてトライアックスケーブル１０３に送出される。
【００９０】
このようにデジタルビデオ信号（輝度信号Ｙ、色差信号Ｃｂ／Ｃｒおよびリターンビデオ信号Ret. Video）をそれぞれ複数の信号群に分割してビットレートを低くしているので、これらのビデオ信号がＨＤビデオ信号のようにビットレートが高いものであってもデジタル変調（ＯＦＤＭ方式の変調）を行うことができる。
【００９１】
また、デジタル変調としてＯＦＤＭ方式の変調を行っているので、輝度信号Ｙおよび色差信号Ｃｂ／Ｃｒ、あるいはリターンビデオ信号Ret. Video（Ｙ）のビットレートに対してシンボルレートを低くでき、コネクタ部等で反射があってもその影響を受けにくく、これら輝度信号Ｙおよび色差信号Ｃｂ／Ｃｒ、あるいはリターンビデオ信号Ret. Videoを同軸ケーブルとしてのトライアックスケーブル１０３で良好に伝送できる。
【００９２】
また、ＯＦＤＭ方式の変調により多数の搬送波を用いて伝送するため、そのうちの何本かの波をパイロット信号や伝送パラメータ信号などに割り当てることができるので、ＡＧＣやケーブル等化を行う場合に有利である。
【００９３】
また、図１に示す伝送システム１００によれば、カメラ１０１側からＣＣＵ１０５側に送信すべき本線信号（輝度信号Ｙおよび色差信号Ｃｂ／Ｃｒ）に係る変調信号Ｍy1〜Ｍｃ3およびＣＣＵ１０５側からカメラ１０１側に送信すべきリターンビデオ信号Ret. Video（Ｙ）に係る変調信号Ｍr1〜Ｍr3の周波数帯域が重ならないように周波数シフト処理が行われているので、１本のトライアックスケーブル１０３によりこれら変調信号Ｍy1〜Ｍｃ3，Ｍr1〜Ｍr3を、従って輝度信号Ｙ、色差信号Ｃｂ／Ｃｒおよびリターンビデオ信号Ret. Videoを互いに干渉させずに良好に伝送できる。
【００９４】
また、図１に示す伝送システム１００によれば、カメラ１０１側とＣＣＵ１０５側とを１本のトライアックスケーブル１０３で接続するものであり、カメラ１０１側とＣＣＵ１０５側との接続が大変に簡単になり、機動性に富んだものにできる。また、信頼性に富み、しかも光ファイバと比較して安価である。光ファイバが双方向伝送を行うために２本の光ファイバを用いているのと対照的である。
【００９５】
また、図１に示す伝送システム１００によれば、カメラ１０１側とＣＣＵ１０５側とを同軸ケーブルであるトライアックスケーブル１０３で接続するものであり、何時でもどのような環境や場所でもコネクタ接続が簡単にでき、また同軸ケーブルの多段接続も簡単に行える。また、もし同軸ケーブルが切断した場合でも、簡単に修理が可能である。光ファイバのように、コネクタの汚れやその掃除に気を使う必要がなく、雨や埃の多い環境下でもコネクタ接続ができる。
【００９６】
また、図１に示す伝送システム１００によれば、デジタル信号である輝度信号Ｙ、色差信号Ｃｂ／Ｃｒ、リターンビデオ信号Ret. Video（Ｙ）をＯＦＤＭ方式で変調して伝送するものであり、アナログ信号に変換してＡＭ変調あるいはＦＭ変調して伝送するものではなく、Ｓ／Ｎの劣化を伴わず、アナログの伝送システムに比べて長距離化が可能となる。また、必要に応じて中間に中継器を挿入してさらに長距離化を図ることも容易にできる。
【００９７】
なお、上述実施の形態においては、カメラ１０１から出力される本線信号としての輝度信号Ｙおよび色差信号Ｃｂ／Ｃｒを変換ユニット１０２に供給してＯＦＤＭ方式で変調を行う構成となっているが、この変換ユニット１０２の機能をカメラ１０１が持つようにしてもよい。この場合、図３のカメラ１０１における変換器１１８および変換ユニット１０２における変換器１２１，１２９を不要とできる。
【００９８】
また、上述実施の形態においては、ＣＣＵ１０５から出力されるリターンビデオ信号Ret. Video（Ｙ）を変換ユニット１０４に供給してＯＦＤＭ方式で変調を行う構成となっているが、この変換ユニット１０４の機能をＣＣＵ１０５が持つようにしてもよい。この場合、図５の変換ユニット１０４における変換器１４５，１４６およびＣＣＵ１０５における図示しない変換を不要とできる。
【００９９】
また、上述実施の形態においては、１０ビットパラレルデータである輝度信号Ｙ、色差信号Ｃｂ／Ｃｒおよびリターンビデオ信号Ret. Videoを直接信号分割部１２２，１４７で複数の信号群に分割するものを示したが、これらの信号をデータ圧縮処理をした後に複数の信号群に分割するようにしてもよい。これにより、ビットレートをさらに低くでき、デジタル変調がさらに容易となる。なおその場合、受信側の信号合成部１２８，１４４ではデータ伸張処理が行われる。
【０１００】
また、上述実施の形態においては、この発明をデジタルビデオ信号の伝送システムに適用したものであるが、この発明はその他のデジタル信号を伝送する際にも同様に適用できることは勿論である。
【産業上の利用可能性】
【０１０１】
この発明は、デジタル信号を同軸ケーブルで良好に伝送し得るものであり、例えばカメラとＣＣＵの間のビデオ信号の伝送に適用できる。
【図面の簡単な説明】
【０１０２】
【図１】実施の形態としてのトライアックスケーブルを用いた伝送システムの構成を示すブロック図である。
【図２】トライアックスケーブルを介して伝送される、本線信号およびリターンビデオ信号に係る各変調信号の周波数配置例を示す図である。
【図３】カメラ側の詳細構成を示すブロック図である。
【図４】ＯＦＤＭ方式で変調処理を行う変調処理部の構成を示すブロック図である。
【図５】ＣＣＵ側の変換ユニットの詳細構成を示すブロック図である。
【図６】従来の光ファイバを用いた伝送システムの構成を示すブロック図である。
【図７】従来のトライアックスケーブルを用いたアナログ伝送システムの構成を示すブロック図である。
【図８】従来のトライアックスケーブルを用いたアナログ伝送システムにおけるカメラ側およびＣＣＵ側の回路構成例をブロック図である。
【図９】従来のトライアックスケーブルを用いたアナログ伝送システムの周波数配置例を示す図である。
【符号の説明】
【０１０３】
１００・・・トライアックスケーブルを用いた伝送システム、１０１・・・カメラ、１０２，１０４・・・変換ユニット、１０３・・・トライアックスケーブル、１０５・・・カメラコントロールユニット（ＣＣＵ）、１０６・・・リモートコントローラ、１０７〜１０９・・・モニタ、１２２，１４７・・・信号分割部、１２３ａ〜１２３ｆ，１４８ａ〜１４８ｃ・・・変調処理部、１２４ａ〜１２４ｆ，１２６ａ〜１２６ｃ，１４２ａ〜１４２ｆ，１４９ａ〜１４９ｃ・・・周波数シフト部、１２５，１４１・・・マルチプレックスフィルタ（ＭＰＸフィルタ）、１２７ａ〜１２７ｃ，１４３ａ〜１４３ｆ・・・復調処理部、１２８，１４４・・・信号合成部
【図１】
2007295269.tif 000003
【図２】
2007295269.tif 000004
【図３】
2007295269.tif 000005
【図４】
2007295269.tif 000006
【図５】
2007295269.tif 000007
【図６】
2007295269.tif 000008
【図７】
2007295269.tif 000009
【図８】
2007295269.tif 000010
【図９】
2007295269.tif 000011
【手続補正書】
【提出日】平成19年4月17日(2007.4.17)
【手続補正１】
【補正対象書類名】明細書
【補正対象項目名】００１１
【補正方法】変更
【補正の内容】
【００１１】
図８は、カメラ２０１側およびＣＣＵ２０２側の回路構成例を示している。カメラ２０１側では、本線信号としてのデジタルビデオ信号、つまり１０ビットパラレルデータである輝度信号Ｙと１０ビットパラレルデータである色差信号Ｃｂ／Ｃｒとを、それぞれ、Ｄ／Ａ変換器２１０，２１１でデジタル信号からアナログ信号に変換し、その後、ＡＭ変調器２１２，２１３でＡＭ変調し、それぞれをマルチプレックスフィルタ２１４で合成して、トライアックスケーブル２０８に送出している。なお、色差信号Ｃｂ／Ｃｒは、青色差信号Ｃｂと赤色差信号Ｃｒとの順次信号を示している。
【手続補正２】
【補正対象書類名】明細書
【補正対象項目名】００４３
【補正方法】変更
【補正の内容】
【００４３】
アナログ信号処理部１１３は、ＣＣＤ固体撮像素子１１２Ｒ，１１２Ｇ，１１２Ｂから得られる赤、緑、青の撮像信号Ｒ，Ｇ，Ｂのそれぞれに対して、各画素の信号をサンプルホールドする処理、サンプルホールドされた各画素の信号を増幅する処理、増幅された各画素の信号をアナログ信号からデジタル信号に変換して、赤、緑、青のデジタル色信号Ｒｄ，Ｇｄ，Ｂｄを得るＡ／Ｄ変換処理を行う。
【手続補正３】
【補正対象書類名】明細書
【補正対象項目名】００４５
【補正方法】変更
【補正の内容】
【００４５】
デジタル信号処理部１１７は、アナログ信号処理部１１３で得られる赤、緑、青のデジタル色信号Ｒｄ，Ｇｄ，Ｂｄに対して、それぞれ、色補正、高域補正、ガンマ補正、高輝度圧縮などの処理、さらには画像を美しく鮮明に見せるための信号処理を施す。また、このデジタル信号処理部１１７は、処理後のデジタル色信号Ｒｄ，Ｇｄ，Ｂｄに基づいてマトリックス処理を行って、本線信号としてのデジタルビデオ信号である輝度信号Ｙおよび色差信号Ｃｂ／Ｃｒを生成する。ここで、輝度信号Ｙおよび色差信号Ｃｂ／Ｃｒは、それぞれ、例えば１０ビットのパラレルデータである。
【手続補正４】
【補正対象書類名】明細書
【補正対象項目名】００４６
【補正方法】変更
【補正の内容】
【００４６】
変換器１１８は、デジタル信号処理部１１７で得られる本線信号としての輝度信号Ｙおよび色差信号Ｃｂ／Ｃｒを、デジタルシリアル伝送規格であるＨＤ−ＳＤＩ(Serial DigitalInterface)でパラレルデータからシリアルデータに変換し、変換後のシリアルデータを変換ユニット１０２に供給する。また、この変換器１１８は、変換ユニット１０２から供給されるリターンビデオ信号Ret. Videoに係るＨＤ−ＳＤＩのシリアルデータを、パラレルデータに変換し、ビューファインダ１１９に供給する。